(57)【要約】【課題】本発明では、ユーザーの対物レンズの切替に応じて、調光制御を簡易に実現することができる顕微鏡システムを提供する。【解決手段】顕微鏡により試料の観察を行う顕微鏡システムは、前記試料を照明する照明手段と、複数の対物レンズをそれぞれ取り付け穴に搭載し、前記複数の対物レンズを切替えることにより所望の対物レンズを光路に設定することができる対物レンズ切替手段と、前記対物レンズ切替手段に設けられた前記取り付け穴が前記光路に入っているかを検出する取り付け穴検出手段と、前記取り付け穴検出手段の検出結果に基づいて、前記対物レンズが前記光路に入っているときの第１の調光値及び前記対物レンズが前記光路から外れている場合の第２の調光値のいずれかにより前記照明の調光を行う調光制御手段と、を備えることにより、上記課題の解決を図る。【選択図】      図１
2010281922.tif 000002
【特許請求の範囲】
【請求項１】
顕微鏡により試料の観察を行う顕微鏡システムであって、
前記試料を照明する照明手段と、
複数の対物レンズをそれぞれ取り付け穴に搭載し、前記複数の対物レンズを切替えることにより所望の対物レンズを光路に設定することができる対物レンズ切替手段と、
前記対物レンズ切替手段に設けられた前記取り付け穴が前記光路に入っているかを検出する取り付け穴検出手段と、
前記取り付け穴検出手段の検出結果に基づいて、前記対物レンズが前記光路に入っているときの第１の調光値及び前記対物レンズが前記光路から外れている場合の第２の調光値のいずれかにより前記照明の調光を行う調光制御手段と、
を備えることを特徴とする顕微鏡システム。
【請求項２】
前記調光制御手段は、
前記対物レンズが前記光路に入っているときの第１の調光値と、前記対物レンズが前記光路から外れている場合の第２の調光値とが記憶されている調光値記憶手段と、
を備えることを特徴とする請求項１に記載の顕微鏡システム。
【請求項３】
前記顕微鏡システムは、さらに、
前記調光制御手段による前記第１の調光値及び前記第２の調光値により照明の調光を行う機能の解除指示をする自動調光解除指示手段、
を備え、
前記調光制御手段は、前記自動調光解除指示手段により解除指示された場合、前記第１の調光値及び前記第２の調光値以外の所定の第３の調光値に基づいて、前記照明の調光を行う
ことを特徴とする請求項１または２に記載の顕微鏡システム。
【請求項４】
前記顕微鏡システムは、さらに、
前記対物レンズ切替手段の各取り付け穴を識別する取り付け穴識別手段と、
を備え、
前記調光値記憶手段には、前記対物レンズ切替手段の各取り付け穴に搭載された前記対物レンズ毎の前記第１の調光値及び前記第２の調光値が記憶され、
前記調光制御手段は、前記取り付け穴検出手段により前記対物レンズ切替手段に設けられた前記取り付け穴が前記光路に入っていると検出された場合、該取り付け穴識別手段により識別された前記取り付け穴に搭載された前記対物レンズに対応する前記第１の調光値及び前記第２の調光値を前記調光値記憶手段から取得し、該第１の調光値及び該第２の調光値に基づいて、前記照明の調光を行う
ことを特徴とする請求項２または３に記載の顕微鏡システム。
【請求項５】
前記顕微鏡システムは、さらに、
前記顕微鏡の操作環境の変更指示を行う変更指示手段
を備え、
前記調光値記憶手段は前記顕微鏡の操作環境に応じた複数の調光値記憶手段からなり、該各調光値記憶手段は前記対物レンズ切替手段の各取り付け穴に搭載された前記対物レンズ毎の前記第１の調光値及び前記第２の調光値を記憶し、
前記調光制御手段は、前記変更指示に応じて、前記いずれかの調光値記憶手段を選択し、前記取り付け穴検出手段の検出結果に基づいて、該選択した調光値記憶手段に記憶された前記第１の調光値及び前記第２の調光値のいずれかにより前記照明の調光を行う
ことを特徴とする請求項２〜４のうちいずれか１項に記載の顕微鏡システム。
【請求項６】
前記調光制御手段は、前記取り付け穴検出手段により前記対物レンズ切替手段に設けられた前記取り付け穴が前記光路に入っていると検出された場合、前記調光値記憶手段から前記第１の調光値及び前記第２の調光値を取得して、該第１の調光値により前記調光を制御し、その後、該取り付け穴が該光路に入っていないと検出された場合、再度該取り付け穴が該光路に入っていると検出されるまで、該第２の調光値により調光を制御する
ことを特徴とする請求項1〜５のうちいずれか１項に記載の顕微鏡システム。
【請求項７】
顕微鏡システムに用いられる調光制御装置であって、
外部からの信号を受信する受信手段と、
前記対物レンズが前記光路に入っているときの第１の調光値と、前記対物レンズが前記光路から外れている場合の第２の調光値とが記憶されている調光値記憶手段と、
前記受信した信号が、レボルバに設けられた対物レンズの取り付け穴が光路に入っているかの第１の検出信号の場合、該第１の検出信号に基づいて、前記第１の調光値及び前記対物レンズが前記第２の調光値のいずれかにより照明の調光を行う制御手段と、
前記制御手段の制御に基づいて、照明光源を駆動させる光源駆動手段と、
を備えることを特徴とする調光制御装置。
【請求項８】
前記制御手段は、前記第１の調光値及び第２の調光値により照明の調光を行う機能の解除指示を示す信号を受信した場合、前記第１の調光値及び前記第２の調光値以外の所定の第３の調光値に基づいて、前記照明の調光を行う
ことを特徴とする請求項７に記載の調光制御装置。
【請求項９】
前記調光値記憶手段には、前記レボルバの各取り付け穴に搭載された前記対物レンズ毎の前記第１の調光値及び前記第２の調光値が記憶され、
前記制御手段は、前記第１の検出信号と、該光路に入っている取り付け穴の識別する第２の検出信号を受信した場合、前記取り付け穴に搭載された前記対物レンズに対応する前記第１の調光値及び前記第２の調光値を前記調光値記憶手段から取得し、前記第１の調光値及び前記第２の調光値に基づいて、前記照明の調光を行う
ことを特徴とする請求項７または８に記載の調光制御装置。
【請求項１０】
前記調光値記憶手段は顕微鏡の操作環境に応じた複数の調光値記憶手段からなり、該各調光値記憶手段は前記対物レンズ切替手段の各取り付け穴に搭載された前記対物レンズ毎の前記第１の調光値及び前記第２の調光値を記憶し、
前記制御手段は、外部より前記顕微鏡の操作環境の変更指示を行う変更指示信号を受信した場合、該変更指示信号に応じて、前記いずれかの調光値記憶手段を選択し、前記第１の検出信号に基づいて、該選択した調光値記憶手段に記憶された前記第１の調光値及び前記第２の調光値のいずれかにより前記照明の調光を行う
ことを特徴とする請求項７〜９のうちいずれか１項に記載の調光制御装置。
【請求項１１】
前記制御手段は、前記取り付け穴が該光路に入っている旨の前記第１の検出信号を受信した場合、前記調光値記憶手段から前記第１の調光値及び前記第２の調光値を取得して、該第１の調光値により前記調光を制御し、その後、該取り付け穴が該光路に入っていない旨の検出信号を受信した場合、再度該取り付け穴が該光路に入っていると検出されるまで、該第２の調光値により調光を制御する
ことを特徴とする請求項７〜１０のうちいずれか１項に記載の調光制御装置。
【請求項１２】
顕微鏡により試料の観察を行う顕微鏡システムの制御方法であって、
各取り付け穴に搭載された対物レンズを切替えることにより所望の対物レンズを光路に設定することができる対物レンズ切替手段に設けられた前記取り付け穴が前記光路に入っているかを検出し、
前記検出結果に基づいて、前記対物レンズが前記光路に入っているときの第１の調光値及び前記対物レンズが前記光路から外れている場合の第２の調光値のいずれかにより前記照明の調光を行う
ことを特徴とする顕微鏡システムの制御方法。
【発明の詳細な説明】
【技術分野】
【０００１】
本発明は、複数の対物レンズを切り替え可能な機構と調光機能を兼ね備えた顕微鏡システムに関する。
【背景技術】
【０００２】
従来、顕微鏡装置では様々な倍率により試料を観察するというニーズから、複数の対物レンズを備え、切り替えを行う機構であるいわゆるレボルバを搭載している。レボルバは手軽に所望の対物レンズを光路へと切り替えることが可能であるため、顕微鏡装置には広く一般的に搭載されている機構である。
【０００３】
しかしながら、レボルバに搭載する対物レンズは高倍率になるほどそのＮ．Ａ．は大きくなる。よって、低倍率の対物レンズを用いて観察を行った際と同等の強さの照明光を与えても、得られる観察像は暗いため調光を強くしてやる必要がある。従って、対物レンズを切り替える度に、その対物レンズに適した強さの照明光へと調光を行わねばならない。それだけでなく、対物レンズを複数回に渡って切り替えた際には同一対物レンズにおける調光状態の再現性を得づらいといった問題も抱えている。そのため、その調整作業は顕微鏡操作の熟練者であっても負担の大きいものである。
【０００４】
そこで、別途設けられた電子機器やパーソナルコンピュータ（ＰＣ）に予め、レボルバの穴位置情報と、そのポジションに配置されている対物レンズの情報や各対物レンズに適した照明の調光値とを記憶させた顕微鏡装置が複数考案されている（例えば、特許文献１、特許文献２、特許文献３）。このような顕微鏡装置では、レボルバの対物レンズ取り付け穴の各ポジションに磁石を配置し、顕微鏡本体の対物レンズ取り付け穴と対向する部分に磁力感知型センサを配置している。そして、現在光路に入っているレボルバの穴位置情報を取得することができる。これにより、各対物レンズに適した調光状態へと調光を行うことができる。このような手法により、検出されたレボルバの穴位置情報に対して適した調光を行うことが可能であり、観察時間の短縮とユーザーの疲労軽減を図ることが可能である。
【先行技術文献】
【特許文献】
【０００５】
【特許文献１】特開２０００−２６６９８６号公報
【特許文献２】特開２００４−８５９５９号公報
【特許文献３】特開平５−３４１１９７号公報
【発明の概要】
【発明が解決しようとする課題】
【０００６】
しかしながら、このようなレボルバ穴位置検出型の調光制御は、穴位置の誤検出による異常調光を避けるために以下のことを行っている。まず、いわゆるクリックセンサを用いて、レボルバの対物レンズ取り付け穴が光路に確実に入っていることを確認する。次に、クリックセンサがアクティブであることを確認した後に、検出したレボルバ穴位置とその穴位置に割り当てられている任意の調光値へと照明の調光制御を行っている。従って、レボルバ穴の切り替え途上において、照明はＯＦＦまたは、前回認識された対物レンズ取り付け穴に割り当てられた調光値により調光制御が行われることとなる。
このような調光制御の欠点を下記の数ケースの観察方法の特徴を踏まえて述べる。
【０００７】
（ケース１：細胞診断）
細胞診断用途では、細胞の全体像と着目点を交互に且つ頻繁に切り替えを行いながら観察を行う。そのため、観察者は、着目点を見逃さぬよう、対物レンズ切り替え途上もそれぞれの対物レンズにて得られる視野像を常に目で追っている。一般的に対物レンズは高倍率ほどＮ．Ａ．が高く、強い照明光が要求される。そのため、高倍では照明光を強めるように調光し、低倍では弱めるように調光する。
【０００８】
特に、細胞診断では低倍率と高倍率の対物レンズを頻繁に切り替えて用いられるケースが多く、低倍率の対物レンズの視野は広い。そのため、対物レンズを切り替え途上において、その視野を確認できる期間は長い。
【０００９】
従って、調光値が高い高倍率の対物レンズから、調光値の低い低倍率の対物レンズへの切り替え操作中には強い照明光が観察視野内に入ってくる。そのため、ユーザーは著しく疲労を感ずることとなる。
【００１０】
（ケース２：油浸対物レンズとドライ対物レンズを併用する場合）
油浸観察時には、対物レンズ切り替えに伴い、イマージョンオイル内に気泡が生じる場合がある。ユーザーは観察像を眺めながら、対物レンズを左右に小刻みに振り気泡の除去を行ういわゆる「泡抜き」操作を行う。この泡抜き操作時には、泡の存在を確認しやすくするため、一般的には照明光を強くするよう調光する傾向がある。
【００１１】
（ケース３：レボルバ穴間での遮光）
観察方法によっては対物レンズ切り替え途上において、ケース１のようにその対物レンズの視野を目で確認することは必ずしも必要ではない。そのような観察方法の場合、対物レンズ切り替え途上において照明光の点灯は必ずしも必要ではない。そのため、従来技術では照明光を遮断するシャッターや照明光を減衰させるＮＤフィルター等が広く用いられてきた。 
【００１２】
ケース１での望ましい調光状態：高倍対物レンズから低倍対物レンズへの切り替えにおいて照明光を弱めるよう調光値を小さくすることが望ましい。
ケース２での望ましい調光状態：泡抜き操作が必要であるため、照明光を強めるよう調光値を大きくすることが望ましい。
ケース３での望ましい調光状態：レボルバ穴間の調光値は０つまり照明光源の電源はＯＦＦであることが望ましい。
【００１３】
クリック検出とレボルバ穴位置検出型の従来の調光制御では、前述の通り、レボルバ穴の切り替わり途上において、照明の電源はＯＦＦまたは、前回認識された対物レンズ取り付け穴に割り当てられた調光値のまま調光制御が行われる。この場合、上記の様な様々な状況に対して柔軟に対処することができない。
【００１４】
上記課題に鑑み、本発明では、ユーザーの対物レンズの切替に応じて、調光制御を簡易に実現することができる顕微鏡システムを提供する。
【課題を解決するための手段】
【００１５】
本発明に係る、顕微鏡により試料の観察を行う顕微鏡システムは、前記試料を照明する照明手段と、複数の対物レンズをそれぞれ取り付け穴に搭載し、前記複数の対物レンズを切替えることにより所望の対物レンズを光路に設定することができる対物レンズ切替手段と、前記対物レンズ切替手段に設けられた前記取り付け穴が前記光路に入っているかを検出する取り付け穴検出手段と、前記取り付け穴検出手段の検出結果に基づいて、前記対物レンズが前記光路に入っているときの第１の調光値及び前記対物レンズが前記光路から外れている場合の第２の調光値のいずれかにより前記照明の調光を行う調光制御手段と、を備えることを特徴とする。
【００１６】
上記顕微鏡システムにおいて、前記調光制御手段は、前記対物レンズが前記光路に入っているときの第１の調光値と、前記対物レンズが前記光路から外れている場合の第２の調光値とが記憶されている調光値記憶手段と、を備えることを特徴とする。
【００１７】
前記顕微鏡システムは、さらに、前記調光制御手段による前記第１の調光値及び前記第２の調光値により照明の調光を行う機能の解除指示をする自動調光解除指示手段、を備え、前記調光制御手段は、前記自動調光解除指示手段により解除指示された場合、前記第１の調光値及び前記第２の調光値以外の所定の第３の調光値に基づいて、前記照明の調光を行うことを特徴とする。
【００１８】
前記顕微鏡システムは、さらに、前記対物レンズ切替手段の各取り付け穴を識別する取り付け穴識別手段と、を備え、前記調光値記憶手段には、前記対物レンズ切替手段の各取り付け穴に搭載された前記対物レンズ毎の前記第１の調光値及び前記第２の調光値が記憶され、前記調光制御手段は、前記取り付け穴検出手段により前記対物レンズ切替手段に設けられた前記取り付け穴が前記光路に入っていると検出された場合、該取り付け穴識別手段により識別された前記取り付け穴に搭載された前記対物レンズに対応する前記第１の調光値及び前記第２の調光値を前記調光値記憶手段から取得し、該第１の調光値及び該第２の調光値に基づいて、前記照明の調光を行うことを特徴とする。
【００１９】
前記顕微鏡システムは、さらに、前記顕微鏡の操作環境の変更指示を行う変更指示手段を備え、前記調光値記憶手段は前記顕微鏡の操作環境に応じた複数の調光値記憶手段からなり、該各調光値記憶手段は前記対物レンズ切替手段の各取り付け穴に搭載された前記対物レンズ毎の前記第１の調光値及び前記第２の調光値を記憶し、前記調光制御手段は、前記変更指示に応じて、前記いずれかの調光値記憶手段を選択し、前記取り付け穴検出手段の検出結果に基づいて、該選択した調光値記憶手段に記憶された前記第１の調光値及び前記第２の調光値のいずれかにより前記照明の調光を行うことを特徴とする。
【００２０】
前記顕微鏡システムにおいて、前記調光制御手段は、前記取り付け穴検出手段により前記対物レンズ切替手段に設けられた前記取り付け穴が前記光路に入っていると検出された場合、前記調光値記憶手段から前記第１の調光値及び前記第２の調光値を取得して、該第１の調光値により前記調光を制御し、その後、該取り付け穴が該光路に入っていないと検出された場合、再度該取り付け穴が該光路に入っていると検出されるまで、該第２の調光値により調光を制御することを特徴とする。
【００２１】
本発明に係る、顕微鏡システムに用いられる調光制御装置は、外部からの信号を受信する受信手段と、前記対物レンズが前記光路に入っているときの第１の調光値と、前記対物レンズが前記光路から外れている場合の第２の調光値とが記憶されている調光値記憶手段と、前記受信した信号が、レボルバに設けられた対物レンズの取り付け穴が光路に入っているかの第１の検出信号の場合、該第１の検出信号に基づいて、前記第１の調光値及び前記対物レンズが前記第２の調光値のいずれかにより照明の調光を行う制御手段と、前記制御手段の制御に基づいて、照明光源を駆動させる光源駆動手段と、を備えることを特徴とする。
【００２２】
調光制御装置において、前記制御手段は、前記第１の調光値及び第２の調光値により照明の調光を行う機能の解除指示を示す信号を受信した場合、前記第１の調光値及び前記第２の調光値以外の所定の第３の調光値に基づいて、前記照明の調光を行うことを特徴とする。
【００２３】
調光制御装置において、前記調光値記憶手段には、前記レボルバの各取り付け穴に搭載された前記対物レンズ毎の前記第１の調光値及び前記第２の調光値が記憶され、前記制御手段は、前記第１の検出信号と、該光路に入っている取り付け穴の識別する第２の検出信号を受信した場合、前記取り付け穴に搭載された前記対物レンズに対応する前記第１の調光値及び前記第２の調光値を前記調光値記憶手段から取得し、前記第１の調光値及び前記第２の調光値に基づいて、前記照明の調光を行うことを特徴とする。
【００２４】
調光制御装置において、前記調光値記憶手段は顕微鏡の操作環境に応じた複数の調光値記憶手段からなり、該各調光値記憶手段は前記対物レンズ切替手段の各取り付け穴に搭載された前記対物レンズ毎の前記第１の調光値及び前記第２の調光値を記憶し、前記制御手段は、外部より前記顕微鏡の操作環境の変更指示を行う変更指示信号を受信した場合、該変更指示信号に応じて、前記いずれかの調光値記憶手段を選択し、前記第１の検出信号に基づいて、該選択した調光値記憶手段に記憶された前記第１の調光値及び前記第２の調光値のいずれかにより前記照明の調光を行うことを特徴とする。
【００２５】
調光制御装置において、前記制御手段は、前記取り付け穴が該光路に入っている旨の前記第１の検出信号を受信した場合、前記調光値記憶手段から前記第１の調光値及び前記第２の調光値を取得して、該第１の調光値により前記調光を制御し、その後、該取り付け穴が該光路に入っていない旨の検出信号を受信した場合、再度該取り付け穴が該光路に入っていると検出されるまで、該第２の調光値により調光を制御することを特徴とする。
【００２６】
本発明に係る顕微鏡により試料の観察を行う顕微鏡システムの制御方法は、各取り付け穴に搭載された対物レンズを切替えることにより所望の対物レンズを光路に設定することができる対物レンズ切替手段に設けられた前記取り付け穴が前記光路に入っているかを検出し、前記検出結果に基づいて、前記対物レンズが前記光路に入っているときの第１の調光値及び前記対物レンズが前記光路から外れている場合の第２の調光値のいずれかにより前記照明の調光を行うことを特徴とする。
【発明の効果】
【００２７】
本発明によれば、ユーザーの対物レンズの切替に応じて、調光制御を簡易に実現することができる。
【図面の簡単な説明】
【００２８】
【図１】本実施形態に係る顕微鏡システムの一例を示した概念図である。
【図２】本実施形態における調光制御部８の内部構成を示す。
【図３】本実施形態におけるレボルバの穴位置に応じた観察調光値と穴間調光値のテーブル（調光値テーブル）の設定フローを示す。
【図４】本実施形態におけるレボルバの穴位置に応じた観察調光値と穴間調光値のテーブル（調光値テーブル）２０の一例を示す。
【図５】本実施形態における、対物レンズ切り替え動作時のレボルバ２の位置関係と調光制御との関係を示した模式図である。
【図６】本実施形態における穴間調光を行った際のユーザーの観察視野を示した模式図である。
【図７】本実施形態におけるレボルバ穴位置の切替に伴う調光制御のフローを示す。
【図８】本実施形態（変形例１）における調光値テーブルの設定例を示す。
【図９】本実施形態（変形例２）における調光値テーブルの設定例を示す。
【図１０】本実施形態（変形例３）における調光値テーブルの設定例を示す。
【図１１】本実施形態（変形例４）における調光値テーブルの設定例を示す。
【図１２】本実施形態（変形例５）における調光値テーブルの設定例を示す。
【図１３】本実施形態（変形例５）におけるレボルバ穴位置の切替に伴う調光制御のフローを示す。
【発明を実施するための形態】
【００２９】
本実施形態における、顕微鏡により試料の観察を行う顕微鏡システムは、照明手段、対物レンズ切替手段、取り付け穴検出手段、調光制御手段を備える。
照明手段は、前記試料を照明する。照明手段は、例えば本実施形態で言えば、落射観察用照明光源４または透過観察用照明光源５に相当する。
【００３０】
対物レンズ切替手段は、複数の対物レンズをそれぞれ取り付け穴に搭載し、前記複数の対物レンズを切替えることにより所望の対物レンズを光路に設定することができる。対物レンズ切替手段は、例えば本実施形態で言えば、レボルバ２に相当する。
【００３１】
取り付け穴検出手段は、前記対物レンズ切替手段に設けられた前記取り付け穴が前記光路に入っているかを検出する。取り付け穴検出手段は、例えば本実施形態で言えば、クリック検出部６に相当する。
【００３２】
調光制御手段は、前記取り付け穴検出手段の検出結果に基づいて、前記対物レンズが前記光路に入っているときの第１の調光値及び前記対物レンズが前記光路から外れている場合の第２の調光値のいずれかにより前記照明の調光を行う。調光制御手段は、例えば本実施形態で言えば、調光制御部８に相当する。
【００３３】
前記調光制御手段は、調光値記憶手段を有してもよい。調光値記憶手段には、前記対物レンズが前記光路に入っているときの第１の調光値と、前記対物レンズが前記光路から外れている場合の第２の調光値とが記憶されている。調光値記憶手段は、例えば本実施形態で言えば、調光値テーブル２０に相当する。
【００３４】
このように構成することにより、ユーザーの対物レンズの切替に応じた柔軟な調光制御を簡易に実現することができる。すなわち、取り付け穴検出手段の検出結果に応じて、第１の調光値（観察調光値）と第２の調光値（穴間調光値）のいずれかを選択し、その選択した調光値により調光制御を行うことができる。
【００３５】
また、前記顕微鏡システムは、さらに、前記調光制御手段による前記第１の調光値及び第２の調光値により照明の調光を行う機能の解除指示をする自動調光解除指示手段を備えてもよい。自動調光解除指示手段は、例えば本実施形態で言えば、自動調光解除スイッチ９２に相当する。このとき、前記調光制御手段は、前記自動調光解除指示手段により解除指示された場合、前記第１の調光値及び第２の調光値以外の所定の第３の調光値に基づいて、前記照明の調光を行うことができる。
このように構成することにより、観察方法に応じて、調光制御を解除することができる。
【００３６】
また、前記顕微鏡システムは、さらに、前記対物レンズ切替手段の各取り付け穴を識別する取り付け穴識別手段を備えてもよい。取り付け穴識別手段は、例えば本実施形態で言えば、レボルバ穴位置検出部７に相当する。
【００３７】
この場合、前記調光値記憶手段には、前記対物レンズ切替手段の各取り付け穴に搭載された前記対物レンズ毎の前記第１の調光値及び前記第２の調光値が記憶されている。前記調光制御手段は、前記取り付け穴検出手段により前記対物レンズ切替手段に設けられた前記取り付け穴が前記光路に入っていると検出された場合、該取り付け穴識別手段により識別された前記取り付け穴に搭載された前記対物レンズに対応する前記第１の調光値及び前記第２の調光値を前記調光値記憶手段から取得し、該第１の調光値及び第２の調光値に基づいて、前記照明の調光を行うことができる。 
【００３８】
このように構成することにより、対物レンズの倍率に応じて、調光制御ができる。したがって、例えば、ｎ倍の対物レンズからｍ倍（ｎ＞ｍ）への対物レンズの切り替えを行う場合、ユーザーが強い照明光を見ることがなく、ユーザーが眩しい光を感じることがない。また、例えば、ｍ倍の対物レンズからｎ倍（ｎ＞ｍ）への対物レンズの切り替えを行う場合、対物レンズ切り替え途上においてもユーザーは試料の着目点を見逃すことなく追い続けることが可能である。
【００３９】
また、前記顕微鏡システムは、さらに、前記顕微鏡の操作環境の変更指示を行う変更指示手段を備えていてもよい。変更指示手段は、例えば本実施形態で言えば、モード変更スイッチ９３に相当する。
【００４０】
この場合、前記調光値記憶手段は前記顕微鏡の操作環境に応じた複数の調光値記憶手段からなり、該各調光値記憶手段は前記対物レンズ切替手段の各取り付け穴に搭載された前記対物レンズ毎の前記第１の調光値及び前記第２の調光値を記憶している。前記調光制御手段は、前記変更指示に応じて、前記いずれかの調光値記憶手段を選択し、前記取り付け穴検出手段の検出結果に基づいて、該選択した調光値記憶手段に記憶された前記第１の調光値及び前記第２の調光値のいずれかにより前記照明の調光を行う。
このように構成することにより、モード変更スイッチに対応した調光値テーブルにて調光制御を行うことができる。
【００４１】
また、前記調光制御手段は、前記取り付け穴検出手段により前記対物レンズ切替手段に設けられた前記取り付け穴が前記光路に入っていると検出された場合、前記調光値記憶手段から前記第１の調光値及び前記第２の調光値を取得することができる。そして、前記調光制御手段は、該第１の調光値により前記調光を制御する。その後、該取り付け穴が該光路に入っていないと検出された場合、前記調光制御手段は、再度該取り付け穴が該光路に入っていると検出されるまで、該第２の調光値により調光を制御する。
【００４２】
このように構成することにより、対物レンズが光路に入っている際には、その対物レンズに適した観察用調光値による調光制御を行い、対物レンズが光路から外れた際には、最後に認識された対物レンズに応じた穴間調光値による調光制御を行うことができる。
【００４３】
また、顕微鏡システムに用いられる調光制御装置は、受信手段、調光値記憶手段、制御手段、光源駆動手段を備える。
受信手段は、外部からの信号を受信する。受信手段は、例えば本実施形態で言えば、Ｉ／Ｏポート１３に相当する。
【００４４】
調光値記憶手段は、前記対物レンズが前記光路に入っているときの第１の調光値と、前記対物レンズが前記光路から外れている場合の第２の調光値とが記憶されている。調光値記憶手段は、例えば本実施形態で言えば、調光値テーブル２０に相当する。
【００４５】
制御手段は、前記受信した信号が、レボルバに設けられた対物レンズの取り付け穴が光路に入っているかの第１の検出信号の場合、該第１の検出信号に基づいて、前記第１の調光値及び前記対物レンズが前記第２の調光値のいずれかにより照明の調光を行う。制御手段は、例えば本実施形態で言えば、ＣＰＵ１０に相当する。
【００４６】
光源駆動手段は、前記制御手段の制御に基づいて、照明光源を駆動させる。光源駆動手段は、例えば本実施形態で言えば、光源用ドライバ１４に相当する。
【００４７】
このように構成することにより、ユーザーの対物レンズの切替に応じた柔軟な調光制御を簡易に実現することができる。すなわち、取り付け穴検出手段の検出結果に応じて、第１の調光値（観察調光値）と第２の調光値（穴間調光値）のいずれかを選択し、その選択した調光値により調光制御を行うことができる。
【００４８】
以下に、本発明の実施形態について詳述する。
図１は、本実施形態に係る顕微鏡システムの一例を示した概念図である。顕微鏡システムは、顕微鏡装置本体１、調光制御部８、操作部９を有する。顕微鏡装置本体１には、レボルバ２と、対物レンズ３と、落射観察用照明光源４と、透過観察用照明光源５と、クリック検出部６と、レボルバ穴位置検出部７、クリックセンサ６−１，レボルバ穴位置検出センサ７−１を有している。本実施形態では、落射観察用照明光源４及び透過観察用照明光源５としてＬＥＤ（Ｌｉｇｈｔ−ｅｍｉｔｔｉｎｇ  ｄｉｏｄｅ）光源を用いるが、これに限定されない。ステージには、観察体Ｓが載置されている。
【００４９】
レボルバ２は、所望の対物レンズ３を光路へとセットすることができる。対物レンズ３はそれぞれ、レボルバ２のレボルバ穴に取り付けられている。落射観察用照明光源４及び透過観察用照明光源５は、観察体Ｓを照明する。
【００５０】
クリックセンサ６−１は、レボルバ２のレボルバ穴にセットされた対物レンズ３が観察光路に入っているか否かを検出する。クリック検出部６は、クリックセンサ６−１の信号を検出することができる。
【００５１】
レボルバ穴位置検出センサ７−１は、レボルバ２に搭載している現在光路に入っているレボルバの穴位置を検出するためのセンサである。レボルバ穴位置検出部７は、レボルバ穴位置検出センサからの信号を検出することができる。
【００５２】
操作部９には、設定完了ボタン９１、自動調光解除スイッチ９２、モード変更スイッチ９３（９３ａ，９３ｂ）、その他の様々な入力キー群９４が設けられている。入力キー９４を押下することにより、調光制御部８に調光値や対物レンズの種類等のパラメータを入力することができる。設定完了ボタン９１を押下することにより、入力したパラメータを調光制御部８に登録することができる。自動調光解除スイッチ９２を押下することにより、自動での調光制御を解除することができる。顕微鏡操作環境に応じて、モード変更スイッチ９３を押下すると、後述する調光値テーブル２０を選択することができる。
【００５３】
調光制御部８は、レボルバ穴位置に対応した観察用の調光値と穴間調光値とが関係付けられたテーブル（調光値テーブル２０）を有する。調光制御部８は、クリック検出部６とレボルバ穴位置検出部７からの信号を受けて、落射観察用照明光源４と、透過観察用照明光源５の調光を行う。
【００５４】
図２は、本実施形態における調光制御部８の内部構成を示す。調光制御部８は、少なくともＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、Ｉ／Ｏ（Ｉｎｐｕｔ／Ｏｕｔｐｕｔ）ポート１３、光源用ドライバ１４、データバス１４を有する。データバス１５は、ＲＯＭ１１、ＲＡＭ１２、及びＩ／Ｏポート１３、証明用ドライバ１４とを接続する。
【００５５】
ＲＯＭ１１は、調光制御を行うためのプログラムと調光値とを保存しておく記憶装置、例えば不揮発性メモリである。ＲＡＭ１２は、調光制御に必要な一時データを格納する記憶装置である。
【００５６】
光源用ドライバ１４は、落射観察用照明光源４と透過観察用照明光源５の照明状態を制御するドライバであり、ＣＰＵ１０からの命令に基づいて、落射観察用照明光源４と透過観察用照明光源５へ供給する電流を調整する。
【００５７】
Ｉ／Ｏポート１３は、操作部９、等の外部機器と通信を行い、制御信号の入出力をするための入出力インターフェースである。なお、調光制御部８には、図示しないが、ＣＰＵ１０を制御するために必要な発振器、アドレスデコーダ等の周辺回路が備えられている。
【００５８】
図３は、本実施形態におけるレボルバの穴位置に応じた観察調光値と穴間調光値のテーブル（調光値テーブル）の設定フローを示す。本実施形態では、観察者が手動でレボルバを切り替えるいわゆるマニュアル顕微鏡を例に挙げて説明するが、マニュアル顕微鏡に限定されず、電動制御の顕微鏡であっても良い。
【００５９】
まず、ユーザーが調光制御部８の電源スイッチ（不図示）をＯＮにすると、調光制御部８の初期化が行われる。具体的には、不揮発メモリであるＲＯＭ１１から調光制御に必要なプログラムがＣＰＵ１０により読み出され、ＣＰＵ１０により以下のフローの実行及び制御が行われる。すると、調光制御部８は、待機状態へと移行する。
【００６０】
ユーザーは、レボルバ２の所望の穴位置に所望の対物レンズ３を順次取り付けていく。
取り付け作業完了後、ユーザーは、操作部９より、レボルバ２の各レボルバ穴位置を選択し（Ｓ１０１）、各レボルバ穴位置について各種パラメータの設定を行う。すなわち、ユーザーは、操作部９の入力キー９４を用いて、選択した各レボルバ穴位置についてレボルバ２の各穴位置に取り付けた対物レンズ３の情報（対物レンズパラメータ）を入力する。対物レンズの情報を入力した後、ユーザーはさらに、その対物レンズ３の観察調光値と穴間調光値及び、自動調光解除時の調光値を入力する（Ｓ１０２）。入力後、ユーザーは設定完了ボタン９１を押下する（Ｓ１０３）。
【００６１】
設定完了ボタン９１が押下されると、設定された各種パラメータは不揮発メモリであるＲＯＭ１１に書き込まれる。ＣＰＵ１０の制御により、ＲＯＭ１１に書き込まれた各種パラメータは、電源がＯＦＦとなっても保持される（Ｓ１０４）。ＲＯＭ１１に書き込まれた各種パラメータは、ＣＰＵ１０により必要に応じてＲＡＭ１２へ書き出される。従って、一度設定を行えば電源ＯＮの度にＲＯＭ１１からＲＡＭ１２へ書き込まれたパラメータが読み出されるため、電源をＯＮする度に設定作業を行う必要が無い。
【００６２】
図４は、本実施形態におけるレボルバの穴位置に応じた観察調光値と穴間調光値のテーブル（調光値テーブル）２０の一例を示す。調光値テーブル２０は、「レボルバ穴位置番号」２１、「対物レンズ名称」２２、「観察調光値」２３、「穴間調光値」２４のデータ項目から構成される。
【００６３】
「レボルバ穴位置番号」２１は、レボルバ穴の各位置を識別する番号である。「対物レンズ名称」２２は、「レボルバ穴位置番号」２１にて識別されるレボルバ穴位置にセットされた対物レンズの名称である。「観察調光値」２３は、「レボルバ穴位置番号」２１にて識別されるレボルバ穴位置が選択された場合に設定される観察調光値である。「穴間調光値」２４は、「レボルバ穴位置番号」２１にて識別されるレボルバ穴位置が選択された場合に設定される穴間調光値である。
なお、最終行のレコードには、自動調光解除時の調光値が格納されている。
【００６４】
図５は、本実施形態における、対物レンズ切り替え動作時のレボルバ２の位置関係と調光制御との関係を示した模式図である。図５では、動作ＳＴＥＰ毎に、レボルバ２を対物レンズ取り付け方向から見た図及び、対物レンズ取り付け方向と垂直な方向から見た図を上下にて対比させている。
【００６５】
ＳＴＥＰ５−１において、レボルバ２の対物レンズ取り付け穴の１つであるポジション１が観察光路Ｐに入っている。ＳＴＥＰ５−１の状態において、クリックセンサ６−１はアクティブである。このとき、レボルバ穴検出部７からの検出信号に基づいて、調光制御部８は、現在光路Ｐに入っているレボルバの穴位置はポジション１であることを認識する。
【００６６】
ＣＰＵ１０により、ＲＯＭ１１から読み出されてＲＡＭ１２に展開された調光値テーブル２０から、ポジション１に設定されている対物レンズ３を示すレボルバ穴位置番号＝１に対応する観察調光値及び穴間調光値が読み出される。クリックセンサ６−１がアクティブであるので、調光制御部８は、その読み出した観察調光値に基づいて、落射観察用照明光源４または透過観察用照明光源５の調光制御を行う。
このように、光路上のレボルバ穴位置がポジション１であることを検出した場合、ポジション１での調光値にて調光が行われる。
【００６７】
ＳＴＥＰ５−２は、ポジション１からポジション２への対物レンズ３の切り替え途上を示す。ＳＴＥＰ５−２の状態において、クリックセンサ６−１は、非アクティブである。このとき、クリック検出部６は調光制御部８に対して、対物レンズ３が光路から外れていることを通知する信号を出力する。調光制御部８はこの信号を受けて、ＳＴＥＰ５−１にて読み出した穴間調光値による調光制御を行う。
このように、レボルバ穴位置が光路から外れると共に、他ポジションを検出していないため、最後に検出したポジション１での穴間調光値にて調光が行われる。
【００６８】
ＳＴＥＰ５−３は、ポジション１からポジション２への対物レンズ切り替え動作が完了したことを示す。ＳＴＥＰ５−３の状態において、クリックセンサ６−１はアクティブである。このとき、レボルバ穴検出部７からの検出信号に基づいて、調光制御部８は、現在光路Ｐに入っているレボルバの穴位置はポジション２であることを認識する。
【００６９】
ＣＰＵ１０により、ＲＯＭ１１から読み出されてＲＡＭ１２に展開された調光値テーブル２０から、ポジション２に設定されている対物レンズ３を示すレボルバ穴位置番号＝２に対応する観察調光値及び穴間調光値が読み出される。クリックセンサ６−１がアクティブであるので、調光制御部８は、その読み出した観察調光値に基づいて、落射観察用照明光源４または透過観察用照明光源５の調光制御を行う。
このように、光路上のレボルバ穴位置がポジション２であることを検出した場合、ポジション２での調光値にて調光が行われる。
【００７０】
ＳＴＥＰ５−４は、ポジション２からポジション３への対物レンズ３の切り替え途上を示す。ＳＴＥＰ５−４の状態において、クリックセンサ６−１は、非アクティブである。そのため、調光制御部８は、ＳＴＥＰ５−２の際と同様の方法にてＳＴＥＰ５−３にて読み出した穴間調光値による調光制御を行う。
【００７１】
このように、レボルバ穴位置が光路から外れると共に、他ポジションを検出していないため、最後に検出したポジション２での穴間調光値にて調光が行われる。
以上、ＳＴＥＰ５−１〜ＳＴＥＰ５−４の流れにて、各対物レンズの切り替え途上と、切り替え完了後の自動調光を実現している。
【００７２】
続いて、上記の様な調光制御が行われている際に、実際にユーザーが観察する視野ではどのように照明光が切り替わるかについて、高倍率対物レンズから低倍率対物レンズへと切り替えるケースを説明する。
【００７３】
図６は、本実施形態における穴間調光を行った際のユーザーの観察視野を示した模式図である。 
ＳＴＥＰ６−１は、たとえば調光値テーブル２０におけるレボルバ穴位置番号＝６に対応する１００倍の高倍率対物レンズにて観察を行っている状態を示している。既に対物レンズ３は観察光路に入っており、クリックセンサ６−１はアクティブである。ＳＴＥＰ６−１は、観察光路に入っているレボルバ穴に取り付けられた対物レンズ３に割り当てられた観察調光値９０％にて調光されている状態である。
【００７４】
ここでは、高倍率対物レンズに適した観察調光値と穴間調光値が読み出される。クリックセンサにより光路上にレボルバ穴があることが検出されているため、観察調光値での調光が行われる。高倍率の対物レンズに適した調光状態であるため、調光は強くなる。
【００７５】
続いて、現在観察光路に入っている１００倍の対物レンズ３から、調光値テーブル２０のレボルバ穴位置番号＝１に対応する１．２５倍の低倍率対物レンズへの切り替えを行う。
【００７６】
このように、対物レンズの切り替えに伴い、対物レンズが光路から外れると、クリック検出部６から対物レンズが光路から外れた旨の信号が送信される。この信号により、調光制御部８は、穴間調光値での調光を行う。
【００７７】
ＳＴＥＰ６−２は、１００倍対物レンズから１．２５倍対物レンズへの切り替え途上において、１００倍対物レンズが観察光路を外れた直後、つまりクリックセンサ６−１が非アクティブとなった直後の観察者視野を示している。クリックセンサ６−１が非アクティブであるため、ＳＴＥＰ６−１にて読み出された穴間調光値である１％の調光値により調光が行われている。そのため、１００倍対物レンズの視野は、ＳＴＥＰ６−１の観察調光値である９０％の際と比較し暗くなっている。
このように、対物レンズの切替中の調光値は低く設定されているので、観察時よりも調光は弱められる。
【００７８】
ＳＴＥＰ６−３は、さらに対物レンズ３の切り替えを進めている途上を示している。ここでは、１．２５倍対物レンズの視野が観察視野に入ってきている状態を示している。既に調光はＳＴＥＰ６−２の際に設定した穴間調光値である調光値１％に設定されている。そのため、眩しいといったことはなく、ユーザーが疲労を感ずることは無い。
このように、対物レンズ取り付け穴間は、レボルバの部材により視野が遮られているため、一部観察視野が暗くなっている。
【００７９】
ＳＴＥＰ６−４では、対物レンズ切り替えの途上であるが、その視野はほとんど１．２５倍の対物レンズの視野である。
このように、穴間調光値での自動調光が行われるため、観察視野に入ってくる光量は抑えられている。したがって、眩しい光が視野に入ってくることはない。
【００８０】
ＳＴＥＰ６−５では、１．２５倍の対物レンズに完全に切り替わった際の観察者視野を示している。この際、クリックセンサ６−１はアクティブである。レボルバ穴位置検出部７からの信号により、観察光路に入っているレボルバ穴にセットされている対物レンズ３である１．２５倍の対物レンズに対応した観察調光値と穴間調光値が、調光制御部８において、ＣＰＵ１０によりＲＡＭ１２上の調光値テーブル２０から参照される。すると、観察調光値は０．０２％、穴間調光値は１％が設定された後、観察調光値である０．０２％へと調光制御が行われる。
【００８１】
このように、クリック検出部６により対物レンズが光路に入ったことを検出し、調光制御部８により対物レンズ３の穴位置情報に応じた観察調光値と穴間調光値が読み出され、観察調光値での調光が行われる。
【００８２】
従来技術では、ＳＴＥＰ６−３、ＳＴＥＰ６−４において、ユーザーはかなりの強い照明光を感ずることがある。しかし、本実施形態により穴間調光値が１％に調光されているためユーザーが眩しさを感ずることは無い。
【００８３】
図７は、本実施形態におけるレボルバ穴位置の切替に伴う調光制御のフローを示す。ＣＰＵ１０は、ＲＯＭ１１に格納された調光値テーブル２０を読み出し、その読み出した調光値テーブル２０をＲＡＭ１２に展開する（Ｓ２０１）。
【００８４】
ＣＰＵ１０は、電源ＯＮ時に、レボルバ穴位置検出部７からの信号に基づいて、レボルバ穴の位置を認識したか否かを判定する（Ｓ２０２）。レボルバ穴の位置を認識していない場合（Ｓ２０２で「Ｎｏ」）、ＣＰＵ１０は、観察調光値及び穴間調光値を０％に調光する（Ｓ２０８）。その後、ユーザーがレボルバ２を回転させて任意の対物レンズ３を選択すると、レボルバ穴位置検出部７からの信号に基づいて、調光制御部８はレボルバ穴の位置を認識することができる。
【００８５】
Ｓ２０２において、レボルバ穴の位置を認識している場合（Ｓ２０２で「Ｙｅｓ」）、ＣＰＵ１０は、クロック検出部６からの検出信号に基づいて、クロックセンサ６−１がアクティブか、すなわち、観察光路にレボルバ穴位置が正しく挿入されているか判定する（Ｓ２０３）。
【００８６】
Ｓ２０３において、クロックセンサ６−１がアクティブであると判定した場合（Ｓ２０３で「Ｙｅｓ」）、ＣＰＵ１０は、レボルバ穴位置検出部７からの検出信号により、現在観察光路上にあるレボルバ穴のレボルバ穴位置番号を取得し、レボルバ穴位置を確認する（Ｓ２０４）。例えば図５のＳＴＥＰ５−１の場合には、レボルバ穴位置はポジション１であるので、レボルバ穴位置検出部７からの検出信号は、レボルバ穴位置番号＝１である旨を示す。
【００８７】
ＣＰＵ１０は、その取得したレボルバ穴位置番号に対応する観察調光値及び穴間調光値を調光値テーブル２０よりサーチし、取得する（Ｓ２０５）。上記の例では、レボルバ穴位置番号＝１に対応する「観察調光値：０．０２％」、「穴間調光値：１％」が、ＣＰＵ１０により調光値テーブル２０から取得される。ＣＰＵ１０は、その取得した観察調光値を光源用ドライバ１４に設定する。
【００８８】
光源用ドライバ１４は、その設定された観察調光値に基づいて、落射観察用照明光源４または透過観察用照明光源５へ供給する電流を調整することにより、調光制御を行う（Ｓ２０６）。
【００８９】
続いて、対物レンズ３が切替えられるとする。対物レンズ３の切替途上では、クリックセンサ６−１は、非アクティブである。したがって、Ｓ２０３において、クロックセンサ６−１がアクティブでないと判定した場合（Ｓ２０３で「Ｎｏ」）、観察制御部８は、最後に認識した対物レンズ３の穴間調光値にて調光制御する（Ｓ２０９）。例えば、図５のＳＴＥＰ５−２において、クリックセンサ６−１は非アクティブである。このとき、クリック検出部６は、調光制御部８に対して、対物レンズ３が観察光路から外れていることを通知する信号を出力する。ＣＰＵ１０はこの信号を受けて、Ｓ２０５にて読み出した穴間調光値「穴間調光値：１％」を光源用ドライバ１４に設定する。光源用ドライバ１４は、その設定された穴間調光値に基づいて、落射観察用照明光源４または透過観察用照明光源５へ供給する電流を調整することにより、調光制御を行う。
【００９０】
それから、対物レンズ３の切替が終了し、図５のＳＴＥＰ５−３になると、クリックセンサ６−１は、再びアクティブになる。これ以降は、上述したＳ２０３〜Ｓ２０６と同様である。観察が終了するまで、Ｓ２０３〜Ｓ２０７を繰り返す。
【００９１】
図８は、本実施形態（変形例１）における調光値テーブルの設定例を示す。図８では、細胞診断に用いられる対物レンズに対応する調光値テーブルの設定例を説明する。レボルバ２ａには、ポジション１〜４で示す位置にレボルバ穴がある。調光値テーブル２０ａには、各レボルバ穴位置に設定された対物レンズ情報（倍率、ドライ等）と、その各レボルバ穴位置が選択された場合の観察調光値、穴間調光値が格納されている。
【００９２】
図８において、ポジション４に設置された４０倍の対物レンズの穴間調光値は１％と低く設定されている。そのため、４０倍の対物レンズから４倍への対物レンズの切り替え時において、ユーザーが強い照明光を見ることがなく、ユーザーが眩しい光を感じることはない。
【００９３】
また、ポジション１〜３のそれぞれに設置された４倍、１０倍、２０倍の対物レンズ３の穴間調光値と切替先の対物レンズの観察調光値の値が近い値に設定されている。したがって、４倍、１０倍、２０倍の間にて対物レンズの切り替えを行う場合、対物レンズ切り替え途上においてもユーザーは細胞の着目点を見逃すことなく追い続けることが可能である。
【００９４】
なお、穴間調光値は任意の値を設定することができるので、ユーザーに適した切替調光を実施することができる。
【００９５】
図９は、本実施形態（変形例２）における調光値テーブルの設定例を示す。図９では、対物レンズの切り替えを頻繁に行うが、対物レンズ切り替え途上においてユーザーが着目点を追わない場合に適した調光値テーブルの設定例を説明する。レボルバ２ｂには、ポジション１〜６で示す位置にレボルバ穴がある。調光値テーブル２０ｂには、各レボルバ穴位置に設定された対物レンズ情報（倍率、ドライ等）と、その各レボルバ穴位置が選択された場合の観察調光値、穴間調光値が格納されている。
【００９６】
本設定では対物レンズ切り替え途上の穴間調光値は全て０％に設定されている。よって、対物レンズが光路に入っていない状態では照明はＯＦＦとなる。したがって、省エネという観点から、経済的にも環境的にも有利な、すなわちエコロジーな調光制御が可能である。
【００９７】
図１０は、本実施形態（変形例３）における調光値テーブルの設定例を示す。エコロジー・泡抜き操作対応時に適した調光値テーブルの第１の設定例を説明する。レボルバ２ｃには、ポジション１〜６で示す位置にレボルバ穴がある。調光値テーブル２０ｃには、各レボルバ穴位置に設定された対物レンズ情報（倍率、ドライ／オイル等）と、その各レボルバ穴位置が選択された場合の観察調光値、穴間調光値、及び自動調光解除時の調光値が格納されている。
【００９８】
図１０では、図９と同様に穴間調光値を０％に設定している。さらに、自動調光制御解除スイッチ９２が押された際の調光値を１００％に設定している。このような設定を行うことで、通常観察時において、対物レンズ切り替え途上での調光は０％にて行われる。一方、イマージョンオイル等を用いた油浸観察時によく行われる泡抜き操作を行う際には、自動調光制御解除スイッチ９２を押す。すると、調光制御部８は、調光値を１００％にして調光する。これにより、対物レンズ３が観察光路から外れた際においても、その調光値を１００％にて調光することが可能である。よって、エコロジーと観察方法に合わせた調光の両立が可能である。
【００９９】
図１１は、本実施形態（変形例４）における調光値テーブルの設定例を示す。エコロジー・泡抜き操作対応時に適した調光値テーブルの第２の設定例を説明する。レボルバ２ｄには、ポジション１〜６で示す位置にレボルバ穴がある。調光値テーブル２０ｄには、各レボルバ穴位置に設定された対物レンズ情報（倍率、ドライ／オイル等）と、その各レボルバ穴位置が選択された場合の観察調光値、穴間調光値、及び自動調光解除時の調光値が格納されている。
【０１００】
図１１では、イマージョンオイル等を用いた油浸観察用の１００倍対物レンズから通常１．２５倍対物レンズへの切り替え途上において眩しさを感じることが無いように、穴間調光値は１％に設定されている。
【０１０１】
また、１．２５倍、１０倍の対物レンズ切り替え時においては、穴間調光値を１％に設定している。これにより、対物レンズ切り替え途上において、細胞の着目点を見逃さずに追い続けながら切り替えを行うことが可能である。
【０１０２】
ドライ２０倍、ドライ４０倍の切り替え途上において、その穴間調光値を０％と設定している。そのため、対物レンズが光路に入っていない状態では、照明はＯＦＦとすることができる。したがって、省エネという観点から、経済的にも環境的にも有利な、すなわちエコロジーな調光制御が可能である。
【０１０３】
また、自動調光解除スイッチ９２が押下された際には、調光値テーブル２０から読み出されている観察調光値及び、穴間調光値は一時的に無効となる。このとき、自動調光解除機能がアクティブになっている際の調光値である調光値１００％による調光制御が行われる。そのため、オイル対物レンズを用いた油浸観察時の泡抜き操作を行うことが可能である。
【０１０４】
図１２は、本実施形態（変形例５）における調光値テーブルの設定例を示す。本実施例では、使用する調光値テーブル２０を選択するトリガとしてモード変更スイッチ９３を複数持ち、その個々のモード変更スイッチ９３に対応した調光値テーブルにて調光制御を行うことについて説明する。
【０１０５】
本実施例では、トリガが２種類ある場合を例に説明するが、トリガの数は２種類に限定されず複数であってもよい。以下に、各モード変更スイッチ９３がアクティブな場合のモードを下記に示す。
【０１０６】
（Ａ）いずれのモード変更スイッチ９３ａ，９３ｂもアクティブでない場合：通常動作モード（調光値テーブルＴ０）
（Ｂ）モード変更スイッチ９３ａがアクティブの場合：泡抜きモード（調光値テーブルＴ１）
（Ｃ）モード変更スイッチ９３ｂがアクティブの場合：ＥＣＯモード（調光値テーブルＴ２）
【０１０７】
ＲＯＭ１１には、通常動作モード、泡抜きモード、ＥＣＯモードのために、それぞれ独立した調光値テーブルＴ０〜Ｔ２を持つ。調光制御部８の電源ＯＮ時に、ＣＰＵ１０によって、上記３種類のモードの調光値テーブルがＲＯＭ１１からＲＡＭ１２上に展開される。それから、調光制御部８は、トリガであるモード変更スイッチ９３の入力を検出し、その検出されたモード変更スイッチ９３に応じた調光値テーブルを参照して調光制御を行う。
【０１０８】
図１３は、本実施形態（変形例５）におけるレボルバ穴位置の切替に伴う調光制御のフローを示す。まず、ＣＰＵ１０は、ＲＯＭ１１に格納された通常駆動モード時と自動調光解除時の調光値テーブルを読み出す（Ｓ３０１）。これにより、通常駆動モード時と自動調光解除時の調光値テーブルに格納された対物レンズ情報と、観察調光値及び穴間調光値とがＲＯＭ１１からＲＡＭ１２上に展開される。
【０１０９】
次に、ＣＰＵ１０は、電源ＯＮ時に、レボルバ穴位置検出部７からの検出信号に基づいて、レボルバ穴の位置を認識したか否かを判定する（Ｓ３０２）。レボルバ穴の位置を認識していない場合（Ｓ３０２で「Ｎｏ」）、ＣＰＵ１０は、観察調光値及び穴間調光値を０％に調光する（Ｓ３０９）。その後、ユーザーがレボルバ２を回転させて任意の対物レンズ３を選択すると、レボルバ穴位置検出部７からの検出信号に基づいて、調光制御部８はレボルバ穴の位置を認識することができる。
【０１１０】
Ｓ３０２において、レボルバ穴の位置を認識している場合（Ｓ３０２で「Ｙｅｓ」）、ＣＰＵ１０は、いずれのモード変更スイッチ９３が選択されているかを検出し、その検出されたモード変更スイッチ９３に対応する調光値テーブル２０をＲＡＭ１２から選択する（Ｓ３０３）。
【０１１１】
その後、ＣＰＵ１０は、クロック検出部６からの検出信号に基づいて、クロックセンサ６−１がアクティブか、すなわち、観察光路にレボルバ穴位置が正しく挿入されているか判定する（Ｓ３０４）。
【０１１２】
Ｓ３０４において、クロックセンサ６−１がアクティブであると判定した場合（Ｓ３０４で「Ｙｅｓ」）、ＣＰＵ１０は、レボルバ穴位置検出部７からの検出信号により、現在観察光路上にあるレボルバ穴のレボルバ穴位置番号を取得し、レボルバ穴位置を確認する（Ｓ３０５）。
【０１１３】
ＣＰＵ１０は、その取得したレボルバ穴位置番号に対応する観察調光値及び穴間調光値を調光値テーブル２０よりサーチし、取得する（Ｓ３０６）。ＣＰＵ１０は、その取得した観察調光値を光源用ドライバ１４に設定する。
【０１１４】
光源用ドライバ１４は、その設定された観察調光値に基づいて、落射観察用照明光源４または透過観察用照明光源５へ供給する電流を調整することにより、調光制御を行う（Ｓ２０６）。
【０１１５】
続いて、対物レンズ３が切替えられる。対物レンズ３の切替途上では、クリックセンサ６−１は、非アクティブである。それから、ＣＰＵ１０はいずれのモード変更スイッチ９３が選択されているかを検出し、その検出されたモード変更スイッチ９３に対応する調光値テーブル２０をＲＡＭ１２から選択する（Ｓ３０３）。
【０１１６】
その後、ＣＰＵ１０は、クロック検出部６からの検出信号に基づいて、クロックセンサ６−１がアクティブか、すなわち、観察光路にレボルバ穴位置が正しく挿入されているか判定する（Ｓ３０４）。Ｓ３０４において、クロックセンサ６−１がアクティブでないと判定した場合（Ｓ３０４で「Ｎｏ」）、ＣＰＵ１０は、最後に認識した対物レンズ３の穴間調光値にて調光制御する（Ｓ３１０）。
【０１１７】
それから、対物レンズ３の切替が終了さる。これ以降は、上述したＳ２０３〜Ｓ２０６と同様である。観察が終了するまで、Ｓ３０２〜Ｓ３１０を繰り返す。
【０１１８】
なお、本実施形態では、照明光源としてＬＥＤを用い、ＬＥＤ光源の出力を調整することにより調光制御を行ったが、照明光源はＬＥＤに限定されない。照明光源としては例えばハロゲンランプ等を用いることもでき、この場合には、調光制御部は、例えば、ＮＤフィルターやシャッター等の動作を制御して、調光することができる。
【０１１９】
本実施形態によれば、クリック検出部により、またはクリック検出部及びレボルバ穴位置検出部により、対物レンズが光路に入ったことを確認するとともに、対物レンズの取り付け穴位置を検出することができる。その後、対物レンズが光路に入った際に、予め設定した対物レンズ毎に適した観察時の調光値（観察調光値）と、対物レンズが光路から外れた際の調光値（穴間調光値）に関する調光値テーブルを読み出すことができる。
【０１２０】
調光制御部は、その読み出した調光値テーブルの中からレボルバ穴位置番号に応じて、照明の調光を行うことができる。すなわち、調光制御部は、対物レンズが光路に入っている際には、その対物レンズに適した観察調光値による調光制御を行うことができる。また、調光制御部は、対物レンズが光路から外れた際には、最後に認識された対物レンズに応じた穴間調光値による調光制御を行うことができる。また、自動調光解除スイッチを用いることで、レボルバ穴間での自動調光を一時的に解除し、予め設定された自動調光解除中の調光値により調光することができる。なお、レボルバ穴位置と穴位置外での調光値は、ユーザーが任意に設定することができる。
【０１２１】
以上より、本実施形態によれば、ユーザーの対物レンズの切替に応じて、調光制御を簡易に実現することができる。また、手動系の顕微鏡であっても、ユーザーの検鏡方法に応じた柔軟な調光制御を低コストにて実現可能である。
なお、本発明は、以上に述べた実施の形態に限定されるものではなく、本発明の要旨を逸脱しない範囲内で種々の構成または実施形態を取ることができる。
【符号の説明】
【０１２２】
１      顕微鏡装置本体
２      レボルバ
３      対物レンズ
４      落射観察用照明光源
５      透過観察用照明光源
６      クリック検出部
７      レボルバ穴位置検出部
８      調光制御部
９      操作部
１０    ＣＰＵ
１１    ＲＯＭ
１２    ＲＡＭ
１３    Ｉ／Ｏポート
１４    光源用ドライバ
１５    データバス
２０    調光値テーブル
９１    設定完了ボタン
９２    自動調光解除スイッチ
９３（９３ａ，９３ｂ）    モード変更スイッチ
９４    入力キー
【図２】
2010281922.tif 000003
【図３】
2010281922.tif 000004
【図４】
2010281922.tif 000005
【図７】
2010281922.tif 000006
【図１２】
2010281922.tif 000007
【図１３】
2010281922.tif 000008
【図１】
2010281922.tif 000009
【図５】
2010281922.tif 000010
【図６】
2010281922.tif 000011
【図８】
2010281922.tif 000012
【図９】
2010281922.tif 000013
【図１０】
2010281922.tif 000014
【図１１】
2010281922.tif 000015